(57)【要約】【課題】従業員や清掃員が吸殻回収や清掃をする際の受動喫煙を軽減可能とする。【解決手段】周囲から仕切られた喫煙空間にカウンタ２０が備えられた喫煙ブース１０において、カウンタ２０は少なくとも、灰皿２２と、灰皿２２からの吸殻を回収する回収部２３と、を有し、回収部２３は、回収された吸殻を喫煙空間の外側から取り出し可能である。【選択図】図７
2020139303.tif 000002
【特許請求の範囲】
【請求項１】
周囲から仕切られた喫煙空間にカウンタが備えられた喫煙ブースにおいて、
前記カウンタは、灰皿と、前記灰皿からの吸殻を回収する回収部とを、少なくとも有し、
前記回収部は、回収された吸殻を前記喫煙空間の外側から取り出し可能であることを特徴とする喫煙ブース。
【請求項２】
前記喫煙空間を仕切る壁に、前記回収部における吸殻の取り出し側を前記喫煙空間の外側に臨ませる開口部が設けられたことを特徴とする請求項１に記載の喫煙ブース。
【請求項３】
前記回収部は、当該回収部から着脱可能であって、回収された吸殻を蓄積する蓄積部を有することを特徴とする請求項１または２に記載の喫煙ブース。
【請求項４】
前記カウンタは、前記開口部から前記喫煙空間の外側に移動可能であることを特徴とする請求項１，２または３に記載の喫煙ブース。
【請求項５】
請求項１，２，３または４に記載の喫煙ブースが設置された遊技店において、前記喫煙ブースを含む関連設備の各種情報を処理する情報処理装置であって、
前記遊技店に設置され、前記関連設備の各種情報を報知可能な報知部と、
前記喫煙ブースに存在する人を検知可能な人感センサと、を有し、
前記各種情報には、前記人感センサが人を検知している間の存在情報が含まれ、
前記報知部は、前記存在情報を報知可能であることを特徴とする情報処理装置。
【発明の詳細な説明】
【技術分野】
【０００１】
本発明は、喫煙ブースおよび情報処理装置に関する。
【背景技術】
【０００２】
従来より、喫煙しない者への配慮から様々な場所でタバコの分煙化が進められている。例えば、特許文献１に記載の喫煙室を設置することが知られている。特許文献１には、屋内の床面上に組み立て可能な骨組構造からなる喫煙室が開示されている。骨組構造の上部には、天板が設置されて、その中央に吸気口を設けた天井部が形成され、天井部と透明仕切壁で囲まれた骨組によって喫煙空間が形成されている。喫煙空間内には、喫煙用の灰皿の他、小型テーブル、椅子等を設置している。
【０００３】
また、タバコの吸殻を回収する装置として、例えば、特許文献２に記載の遊技店における吸殻回収装置が知られている。特許文献２には、横並びに配列された各パチンコ機の前面下に膳板が取り付けられ、膳板に各パチンコ機に対応した灰皿が設けられ、膳板の下面に設けられた吸殻回収装置が開示されている。吸殻回収装置では、膳板の下面に連続するようにスクリュウケースが着脱自在に設けられ、スクリュウケースの内部にスクリュウが納まっている。
【０００４】
特許文献２に記載の吸殻回収装置では、灰皿の中の吸殻は、灰皿の中の落とし孔からスクリュウケースの内部に落下する。そして、吸殻回収装置は、スクリュウ羽根の回転により、吸殻を吸殻回収ボックスの方向に移送し、スクリュウケースの開口位置から吸殻回収ボックスの内部に落とし続けるように構成されている。
【０００５】
そして、遊技店における遊技者の分煙や受動喫煙対策としては、例えば、遊技店内に特許文献１に記載のような喫煙室を設けることが考えられる。また、喫煙室内にテーブルを置いて、特許文献２に記載のような吸殻回収装置をテーブルに設けることが考えられる。
【先行技術文献】
【特許文献】
【０００６】
【特許文献１】実用新案登録第３１５５８７６号公報
【特許文献２】特開２００８−２５３３６３号公報
【発明の概要】
【発明が解決しようとする課題】
【０００７】
しかしながら、上記のように喫煙室内に吸殻回収装置を備えるようにした場合には、喫煙空間内に吸殻回収ボックスも収まっているため、従業員や清掃員が吸殻回収ボックス内の吸殻を回収したり清掃する際に受動喫煙をしてしまうという問題がある。
【０００８】
本発明は、このような問題点に着目してなされたものであり、従業員や清掃員が吸殻回収や清掃をする際の受動喫煙を軽減可能とする喫煙ブースと、喫煙ブースを管理可能な情報処理装置を提供することを目的としている。
【課題を解決するための手段】
【０００９】
上記目的を達成するため、本発明は、周囲から仕切られた喫煙空間にカウンタ（２０，２０Ａ〜２０Ｇ）が備えられた喫煙ブース（１０，１０Ａ）において、前記カウンタ（２０，２０Ａ〜２０Ｇ）は少なくとも、灰皿（２２）と、前記灰皿（２２）からの吸殻を回収する回収部（２３）と、を有し、前記回収部（２３）は、回収された吸殻を前記喫煙空間の外側から取り出し可能である。
【図面の簡単な説明】
【００１０】
【図１】本発明の第１実施形態に係る喫煙ブースを示す斜視図である。
【図２】本発明の第１実施形態に係る喫煙ブースのうち上部ユニットを外した状態を示す分解斜視図である。
【図３】本発明の第１実施形態に係る喫煙ブースの天井壁を下方から見た斜視図である。
【図４】本発明の第１実施形態に係る喫煙ブースの天井壁にある点検口の開閉扉を開いた状態を下方から見た斜視図である。
【図５】本発明の第１実施形態に係る喫煙ブースの天井壁を上方から見た斜視図である。
【図６】本発明の第１実施形態に係る喫煙ブースの天井壁を別の角度より上方から見た斜視図である。
【図７】本発明の第１実施形態に係る喫煙ブースに備わるカウンタを移動させた各状態を示す斜視図である。
【図８】本発明の第１実施形態に係る喫煙ブースに備わるカウンタから移送部の一部を取り外した状態を示す斜視図である。
【図９】本発明の第２実施形態に係る喫煙ブースに備わるカウンタの回収部の一側壁を開閉した各状態を示す斜視図である。
【図１０】本発明の第３実施形態に係る喫煙ブースに備わるカウンタを移動させた各状態を示す斜視図である。
【図１１】本発明の第４実施形態に係る喫煙ブースに備わるカウンタの回収部の一側壁を開閉した各状態を示す斜視図である。
【図１２】本発明の第５実施形態に係る喫煙ブースに備わるカウンタを移動させた各状態を示す斜視図である。
【図１３】本発明の第６実施形態に係る喫煙ブースに備わるカウンタを移動させた各状態を示す斜視図である。
【図１４】本発明の第７実施形態に係る喫煙ブースとカウンタを示す斜視図である。
【図１５】本発明の第８実施形態に係る喫煙ブースの出入口にある扉を開閉した各状態を示す斜視図である。
【図１６】本発明の第８実施形態に係る喫煙ブースに備わるカウンタを移動させた各状態を示す斜視図である。
【図１７】本発明の第８実施形態に係る喫煙ブースに備わるカウンタの移送の一例を示す模式図である。
【図１８】本発明の第９実施形態に係る喫煙ブースに備わるカウンタを移動させた各状態を示す斜視図である。
【図１９】本発明の実施形態に係る情報処理装置を示すブロック図である。
【図２０】本発明の実施形態に係る情報処理装置を示す模式図である。
【図２１】本発明の実施形態に係る情報処理装置による報知を示す説明図である。
【発明を実施するための形態】
【００１１】
以下、図面に基づき本発明を代表する各種の実施形態を説明する。
＜第１実施形態＞
図１〜図８は、本発明の第１実施形態を示している。
第１実施形態に係る喫煙ブース１０は、図１および図２に示すように、フロア上に立設される直方体に形成され、その内部に複数の利用者（例えば２〜３人）が喫煙できる大きさの喫煙空間を備えている。喫煙ブース１０は、長手方向に平行な正面壁１１および背面壁１２と、短手方向に平行な両側面壁１３，１４とによって、平面視で長方形をなしており、底面側は開口した状態でフロア上に設置される。
【００１２】
各面壁１１〜１４の上端縁の上方には、天井壁１５を含む上部ユニット１６が設けられている。喫煙ブース１０内の喫煙空間は、各面壁１１〜１４と天井壁１５およびフロアによって周囲から仕切られている。なお、各面壁１１〜１４は、例えば強化ガラスや合成樹脂等の板材により構成され、各面壁１１〜１４間の頂角や端縁をなす支柱や梁は、例えば金属製のフレームにより構成されている。
【００１３】
正面壁１１の中央には、喫煙ブース１０内の喫煙空間に利用者が出入りするための出入口１１ａが開設されている。正面壁１１の出入口１１ａは、本実施形態では常に開放されているが、開閉可能な扉、あるいはスライド式の引き戸等を設けて開閉可能に構成しても良い。
【００１４】
上部ユニット１６は、天井壁１５を底面とする直方体に形成され、その内部に、排気ファン１７や制御部１０４等が収納されている。図３および図４に示すように、天井壁１５には、長方形の点検口１５ａが開設されている。点検口１５ａには、点検扉１５ｂが一端縁を回動中心として下方へ開閉可能に取り付けられている。点検扉１５ｂの一部の領域は、数多の孔が穿設されて吸込部１５ｃとして形成されている。なお、点検扉１５ｂの内側には、吸込部１５ｃから吸い込まれた空気を濾過するフィルタを着脱自在に設けると良い。
【００１５】
図５および図６に示すように、天井壁１５の上面側には、前記点検口１５ａ（図４参照）に連通する位置に排気ファン１７が配設されている。排気ファン１７は、直方体のケーシング１７ａの内部に、図示省略したファンと、ファンを回転駆動するモータ１７ｂ等を有してなる。ケーシング１７ａの底面側は開口しており、吸込部１５ｃ（図３参照）に対向するように配置されている。
【００１６】
図６に示すように、ケーシング１７ａの一側面には、図２に示した円筒形の排気ダクト１８の基端口を接続する取付口１７ｃが開設されている。排気ダクト１８の先端口は、上部ユニット１６の一側面壁より外部に開口している。また、排気ファン１７には、次述する制御部１０４からの信号を受信するためのアンテナ１７ｄが取り付けられている。
【００１７】
天井壁１５の上面側において、排気ファン１７の傍らには制御部１０４が配設されている。制御部１０４は、排気ファン１７を制御する制御基板と、後述する情報処理装置１００に関する制御基板とを、少なくとも有している。これらの制御基板は、本実施形態では一つのケーシング内に収納されているが、別々のケーシング内に分けて構成しても良い。
【００１８】
また、天井壁１５には、図示省略した人感センサが設けられている。人感センサは、喫煙ブース１０内の喫煙空間における利用者の有無を検知可能なものである。図２において、人感センサ自体は図示省略したが、天井壁１５の正面壁１１寄りの片隅に、人感センサを取り付ける取付孔１９が設けられている。
【００１９】
人感センサの種類は、特に限定されるものではなく、既存のものを採用することができ、具体的には例えば、赤外線、超音波、可視光等により検知する構成が採用される。ここで人感センサに、後述するサーモパイル型センサを採用した場合には、喫煙空間における利用者の人数まで検知することが可能となる。
【００２０】
図２において、人感センサの検知範囲は、喫煙ブース１０から上部ユニット１６を取り外した上部開口付近において、人感センサの位置を中心として放射状に広がる破線Ｌで示している。ここでの破線Ｌは、人感センサの位置を中心として上方に全周方向に広がるように示しているが、実際には下方も含めた３６０度の全範囲に広がるものである。
【００２１】
人感センサを天井壁１５の正面壁１１寄りの片隅、つまり出入口１１ａ側の端に配置したことにより、出入口１１ａより外側に人感センサの検知範囲が広がることはない。よって、人感センサの検知範囲を喫煙ブース１０内の喫煙空間に限定することが可能となる。なお、後述するが人感センサからの信号に基づいて、報知部１１０における報知が制御される。
【００２２】
図７に示すように、喫煙ブース１０内の喫煙空間には、喫煙用のカウンタ２０が備えられている。カウンタ２０は、灰皿２２と、灰皿２２に捨てられた吸殻を移送する移送部３０と、吸殻移送部３０により移送された吸殻を回収する回収部２３とを、少なくとも有している。ここで灰皿２２、移送部３０、および回収部２３は、吸殻回収装置を構成するものである。
【００２３】
カウンタ２０は、長手方向に延びる長尺の天板２１と、天板２１の一端をフロア上に支持する回収部２３と、天板２１の他端をフロア上に支持する脚部２５とを、有してなる。天板２１には、長手方向に沿って複数の灰皿２２が設けられている。各灰皿２２は、カウンタ２０の下面側に設けられた吸殻回収装置の移送部３０に連通している。なお、灰皿２２には、開閉可能なフタを設けても良い。
【００２４】
回収部２３は、天板２１の一端を支えるように、上下方向に延びる長尺の箱状に形成されている。詳しく言えば回収部２３は、図８に示すように、長手方向に平行な側壁２３ａ，２３ｂと、短手方向に平行な側壁２３ｃ，２３ｄと、底壁（図示せず）とによって、長尺で直方体の箱状に形成され、上側開口は、天板２１の一端によって塞がれている。
【００２５】
回収部２３は、長手方向の一側壁２３ａに開口が設けられており、この開口に、回収部２３から着脱可能であり吸殻を蓄積する蓄積部２４が設けられている。蓄積部２４は、上面が開口した縦長の箱状に形成され、後述する移送部３０によって移送されてきた吸殻をそのまま受け入れて蓄積する。蓄積部２４の正面上側には、回収部２３の開口から引き出すための取手が設けられている。なお、蓄積部２４は複数用意しておき、吸殻が溜まったら、新たなものと交換すると良い。
【００２６】
回収部２３は、回収された吸殻を喫煙空間の外側から取り出し可能に設けられている。すなわち、喫煙空間を仕切る壁のうち喫煙ブース１０の側面壁１３に、回収部２３における吸殻の取り出し側を喫煙空間の外側に臨ませる開口部１３ａが設けられている。ここで回収部２３における吸殻の「取り出し側」とは、蓄積部２４が着脱可能な一側壁２３ａの開口がある側を意味する。また「喫煙空間の外側に臨ませる」とは、蓄積部２４の少なくとも一部が、その向きを問わず開口部１３ａの外側に露出することを意味する。
【００２７】
脚部２５は、天板２１の他端を支えるように、上下方向に延びる長尺の板状に形成されている。詳しく言えば脚部２５は、図８に示すように、喫煙ブース１０の側面壁１３にある開口部１３ａに合致する形状に設けられており、開口部１３ａを遮蔽可能な遮蔽部をなしている。ここで開口部１３ａは、側面壁１３における背面壁１２寄りの片隅に設けられている。
【００２８】
脚部２５は、回収部２３の短手方向の一側壁２３ｄと相対する位置で、天板２１の他端に対して直角下向きに固定されている。脚部２５の上下方向の高さは、回収部２３の上下方向の高さと等しく、これらの高さは、天板２１上の灰皿２２を利用者が使用しやすい位置に設定されている。
【００２９】
図７に示すように、カウンタ２０は、喫煙ブース１０の側面壁１３にある開口部１３ａから喫煙空間の外側に移動可能である。ここでカウンタ２０は、側面壁１３の片隅にある開口部１３ａから背面壁１２に沿って移動させることができる。カウンタ２０は、天板２１の長手方向に押し引きすることにより、回収部２３と脚部２５の下端がフロア上を摺動するが、これらの下端にロック付きキャスターを設けても良い。
【００３０】
図７（ｂ）に示すように、カウンタ２０を喫煙空間の最も奥まで納めた時、回収部２３の途中によって開口部１３ａは塞がれ、かつ蓄積部２４は開口部１３ａの外側に位置するように、天板２１の長手方向の長さが設定されている。本実施形態によれば、喫煙ブース１０の通常の使用時には、カウンタ２０のうち回収部２３の一部（蓄積部２４等）が喫煙空間の外側に出っ張ることになる。
【００３１】
図８に示すように、カウンタ２０の天板２１の下面側には、吸殻回収装置の移送部３０が設けられている。移送部３０は、天板２１の長手方向と平行に延びるスクリュー３１と、スクリュー３１を収納するカバー３２と、スクリュー３１の駆動源３３と、を有している。スクリュー３１は回転駆動によって、灰皿２２の底に連通したカバー３２内に落ちた吸殻を回収部２３のある一方向へ移送するものである。スクリュー３１は、複数の分割されたスクリューユニット３１ａが軸方向に着脱可能に連結されている。
【００３２】
カバー３２は、長手方向に延びる略Ｕ字形断面に形成されており、その内側にスクリュー３１を収納した状態で天板２１の下面側に取り付けられている。なお、カバー３２は、スクリューユニット３１ａと同等の長さのユニットが、それぞれスクリュー３１に沿って一列に連結されており、各スクリューユニット３１ａと同様に着脱可能となっている。
【００３３】
駆動源３３は、スクリュー３１の一端側に連結され、電動モータの駆動力をギヤボックスを介してスクリュー３１に伝達するものである。駆動源３３が連結されたスクリュー３１の一端側まで移送された吸殻は、そのままカバー３２の端から下方へ落下し、回収部２３の蓄積部２４にそのまま蓄積されるようになっている。
【００３４】
次に、第１実施形態に係る喫煙ブース１０の使用について説明する。
第１実施形態に係る喫煙ブース１０によれば、上記した構成により、例えば遊技店１（図１９参照）においても、壁際等の空きスペースを利用して簡単に設置することが可能である。これにより、遊技店１の関連施設や設備を大幅に変更工事することなく、容易に喫煙のスペースを提供することができる。
【００３５】
図７（ｂ）に示すように、喫煙ブース１０の通常の使用時には、カウンタ２０が喫煙ブース１０内の喫煙空間の奥まで配されている。この時、カウンタ２０は、喫煙ブース１０の背面壁１２に沿って位置し、脚部２５は喫煙ブース１０の側面壁１４に近接している。また、カウンタ２０の回収部２３は、喫煙ブース１０の側面壁１３にある開口部１３ａを塞いでおり、回収部２３の蓄積部２４は、開口部１３ａの外側に位置している。
【００３６】
このように、カウンタ２０の回収部２３は、当該回収部２３に回収された吸殻を喫煙空間の外側から取り出し可能に設けられている。喫煙ブース１０の側面壁１３にある開口部１３ａによって、回収部２３における吸殻の取り出し側を喫煙空間の外側に臨ませるように設置することが可能となる。従って、喫煙ブース１０の外側から回収部２３の吸殻を回収したり清掃することが可能となり、従業員や清掃員の受動喫煙を軽減ないし防止することが可能となる。また、喫煙ブース１０を利用者がそのまま使用することも可能である。
【００３７】
回収部２３に回収されたタバコの吸殻は、吸殻の取り出し側である蓄積部２４に蓄積される。ここで蓄積部２４は、回収部２３から着脱可能である。また、回収部２３は、蓄積部２４を側面壁１３の開口部１３ａを通じて外側から着脱できるように設置されている。従って、回収部２３に回収されたタバコの吸殻は、蓄積部２４ごと容易に取り出すことが可能となる。
【００３８】
また、喫煙ブース１０の通常の使用時には、回収部２３によって開口部１３ａが塞がれた状態となる。よって、喫煙空間のタバコの煙等が開口部１３ａから喫煙ブース１０の外側に漏れることはない。なお、本実施形態では、喫煙空間を仕切る壁のうち喫煙ブース１０の側面壁１３に開口部１３ａを設けたが、喫煙空間を仕切る壁であれば側面壁１３に限らず、他方の側面壁１４や正面壁１１または背面壁１２に同等の開口部を設けても良い。
【００３９】
図７に示すように、カウンタ２０は、側面壁１３の開口部１３ａから喫煙空間の外側に移動可能である。図７（ａ）に示すように、カウンタ２０は、喫煙空間の外側に出すことができる。よって、喫煙ブース１０の外で、カウンタ２０に備えられた各部のメンテナンスや清掃を行うことが可能となる。また、喫煙ブース１０内に、図示省略した据え置き型の灰皿も設置しておけば、カウンタ２０のメンテナンス中であっても、喫煙ブース１０を使用することが可能となる。
【００４０】
図７（ｃ）に示すように、カウンタ２０を側面壁１３の開口部１３ａから喫煙空間の外側に移動させる時、回収部２３の反対側にある脚部２５により、開口部１３ａを塞ぐことができる。これにより、喫煙空間のタバコの煙等が開口部１３ａから喫煙ブース１０の外側に漏れることはない。よって、タバコを吸わない遊技者や従業員等の受動喫煙を軽減ないし防止することができる。なお、図７において、喫煙ブース１０の上部ユニット１６と、カウンタ２０の移送部３０とは、図示省略している。以下、他の図においても、図示の便宜上、喫煙ブース１０の構成の一部を適宜省略する場合がある。
【００４１】
喫煙ブース１０の通常の使用時には、上部ユニット１６にある排気ファン１７が作動して、喫煙ブース１０内の喫煙空間に漂うタバコの煙は、空気と共に天井壁１５の吸込部１５ｃから吸い込まれる。排気ファン１７によって吸い込まれた空気や煙は、排気ダクト１８を通して喫煙空間の外側に排出される。
【００４２】
喫煙ブース１０内の喫煙空間では、全体的に空気が天井壁１５の吸込部１５ｃに向かうように気流が生じている。そのため、喫煙ブース１０の出入口１１ａを閉じなくても、喫煙空間のタバコの煙を含む空気が出入口１１ａから外部に漏れることを防ぐことが可能となる。
【００４３】
排気ファン１７は常時作動させても良いが、人感センサによって利用者を検知している時だけ駆動するようにして、利用者がいない時は駆動しないように制御しても良い。なお、喫煙ブース１０には照明を設けても良い。ここで照明は、上記した排気ファン１７の制御と同様に、人感センサによって点灯ないし消灯を制御すると良い。
【００４４】
＜第２実施形態＞
図９は、本発明の第２実施形態を示している。
第２実施形態に係る喫煙ブース１０は、基本的には第１実施形態と同様に構成されているが、カウンタ２０Ａの構成が若干異なる。なお、第１実施形態と同種の部位については、同一符号を付して重複した説明は省略する。
【００４５】
第２実施形態では、カウンタ２０Ａの回収部２３のうち一側壁２３ａ（の主要部）が、その一側端縁を回動中心として開閉可能に設けられている。図９（ｂ）に示すように、回収部２３の一側壁２３ａ（の主要部）を外側に開いた時、回収部２３の内部に対して、縦長箱状の蓄積部２４を着脱可能に出し入れすることができる。このように、第２実施形態においても、カウンタ２０Ａにおける回収部２３の蓄積部２４は、回収された吸殻を喫煙空間の外側から取り出し可能となっている。
【００４６】
＜第３実施形態＞
図１０は、本発明の第３実施形態を示している。
第３実施形態に係る喫煙ブース１０も、基本的には第１実施形態と同様に構成されているが、カウンタ２０Ｂの構成が若干異なる。なお、第１実施形態と同種の部位については、同一符号を付して重複した説明は省略する。
【００４７】
第３実施形態では、カウンタ２０Ｂの回収部２３のうち一側壁２３ａではなく、側方を向く別の側壁２３ｃに開口が設けられ、この開口に蓄積部２４が着脱可能に設けられている。また、天板２１の全長は、カウンタ２０Ｂを喫煙ブース１０内（喫煙空間）の最奥まで配した時に、回収部２３の一部が側面壁１３の開口部１３ａより外側に出ることなく、喫煙ブース１０内に収まるように設定されている。回収部２３の側壁２３ｃは、側面壁１３と同一面上に連なって開口部１３ａは塞がれる。なお、脚部２５をなす板材の厚みは、第１実施形態よりも若干厚めに形成されている。
【００４８】
このように、第３実施形態では、カウンタ２０Ｂにおける回収部２３の蓄積部２４は、蓄積部２４を着脱する側壁２３ｃ（の開口）が、側面壁１３の開口部１３ａより外側に露出するため、回収された吸殻を喫煙空間の外側から取り出し可能となっている。また、図１０（ｃ）に示す通常の使用時に、回収部２３は全て喫煙ブース１０内（喫煙空間）に収まるため、回収部２３の一部が喫煙ブース１０の外側に出っ張ることがない。従って、喫煙ブース１０を設置する際に回収部２３が邪魔になることがなく、また設置後においても周囲のスペースを侵食することがない。
【００４９】
＜第４実施形態＞
図１１は、本発明の第４実施形態を示している。
第４実施形態に係る喫煙ブース１０は、基本的には第３実施形態と同様に構成されているが、カウンタ２０Ｃの構成が若干異なる。なお、第３実施形態と同種の部位については、同一符号を付して重複した説明は省略する。
【００５０】
第４実施形態では、カウンタ２０Ｃの回収部２３のうち側壁２３ｃが、その一側端縁を回動中心として開閉可能に設けられている。図１１（ｂ）に示すように、回収部２３の側壁２３ｃを外側に開いた時、回収部２３の内部に対して、縦長箱状の蓄積部２４を着脱可能に出し入れすることができる。また、図１１（ａ）に示す通常の使用時に、カウンタ２０Ｃは、回収部２３も含めて全て喫煙ブース１０内（喫煙空間）に収まる全長に設定されている。
【００５１】
このように、第４実施形態では、カウンタ２０Ｃにおける回収部２３の蓄積部２４は、側面壁１３の開口部１３ａより外側に露出した側壁２３ｃを開閉することにより、喫煙空間の外側から取り出し可能となる。また、図１１（ａ）に示す通常の使用時に、回収部２３は全て喫煙ブース１０内（喫煙空間）に収まるため、前記第３実施形態と同様に、回収部２３の一部が喫煙ブース１０の外側に出っ張ることがない。
【００５２】
＜第５実施形態＞
図１２は、本発明の第５実施形態を示している。
第５実施形態に係る喫煙ブース１０は、基本的には第３実施形態と同様に構成されているが、カウンタ２０Ｄの構成が異なる。なお、第３実施形態と同種の部位については、同一符号を付して重複した説明は省略する。
【００５３】
第５実施形態では、カウンタ２０Ｄの回収部２３のうち側方を向く側壁２３ｃに開口が設けられ、この開口に蓄積部２４が着脱可能に設けられている。また、図１２（ｂ）に示す通常の使用時に、カウンタ２０Ｄは、回収部２３も含めて全て喫煙ブース１０内（喫煙空間）に収まる全長に設定されている。ただし、カウンタ２０Ｄには、回収部２３と対向する天板２１の反対側に、自立用の脚部２５（図１０参照）が設けられていない。
【００５４】
第５実施形態では、カウンタ２０Ｄに、脚部２５を設けない代わりに、喫煙ブース１０の背面壁１２の内面側に、天板２１の側端縁がスライド可能に嵌合するレール１２ａが設けられている。レール１２ａは、側方に開口したスリットを備え、背面壁１２の内面側に水平方向に取り付けられている。また、喫煙ブース１０の側面壁１３の開口部１３ａには、一側端縁を回動中心として開閉可能な扉１３ｂが設けられている。
【００５５】
図１２（ａ）に示すように、喫煙ブース１０からカウンタ２０Ｄを外した場合に、扉１３ｂは開口部１３ａを塞ぐ閉状態となる。図１２（ｂ）に示すように、喫煙ブース１０内の喫煙空間にカウンタ２０Ｄを入れる場合は、側面壁１３の開口部１３ａからレール１２ａのスリットに、天板２１の側端を差し込みながら奥へ移動させる。この時、開口部１３ａの扉１３ｂに回収部２３が接触して、扉１３ｂは開状態となるが、開口部１３ａは回収部２３によって塞がれる。
【００５６】
また、図１２（ｃ）に示すように、側面壁１３の開口部１３ａからカウンタ２０Ｄを喫煙空間の外側に移動させることができる。この時、開口部１３ａの扉１３ｂに接触していた回収部２３が離れて、扉１３ｂは閉状態に戻るため、開口部１３ａは扉１３ｂによって塞がれる。これにより、喫煙空間のタバコの煙等が開口部１３ａから喫煙ブース１０の外側に漏れることはない。
【００５７】
＜第６実施形態＞
図１３は、本発明の第６実施形態を示している。
第６実施形態に係る喫煙ブース１０は、基本的には第５実施形態と同様に構成されているが、カウンタ２０Ｄの天板２１を支える構成が若干異なる。なお、第５実施形態と同種の部位については、同一符号を付して重複した説明は省略する。
【００５８】
第６実施形態では、カウンタ２０Ｄの天板２１を支える構成として、喫煙ブース１０の背面壁１２の内面側に、天板２１の側端縁をスライド可能に載置するアングル１２ｂが設けられている。ここでアングル１２ｂは、前記レール１２ａよりも簡易なＬ字形断面の部材であり、その上面に天板２１の側端縁を単に載せるようにして支持するものである。
【００５９】
また、第６実施形態では、喫煙ブース１０の側面壁１３の開口部１３ａを開閉するための扉１３ｂも省略されている。図１３（ｃ）に示す通常の使用時は、前記第５実施形態と同様に側面壁１３の開口部１３ａは回収部２３によって塞がれる。なお、第５実施形態においても、開口部１３ａを扉１３ｂを省略することが可能である。
【００６０】
＜第７実施形態＞
図１４は、本発明の第７実施形態を示している。
第７実施形態に係る喫煙ブース１０は、基本的には第３実施形態と同様に構成されているが、カウンタ２０Ｅの構成が異なる。なお、第３実施形態と同種の部位については、同一符号を付して重複した説明は省略する。
【００６１】
第７実施形態では、カウンタ２０Ｅが、第３実施形態のカウンタ２０Ｂと同じものに、もう一つ天板２１ａを付加しており、平面視でＬ字状に形成されている。すなわち、天板２１ａは、元の天板２１の一端側に位置する回収部２３の上端より、元の天板２１に対して直角に連なるように設けられている。また、天板２１ａの他端は、脚部２５と同様の脚部２５ａによって支持されている。
【００６２】
第７実施形態のカウンタ２０Ｅは、喫煙ブース１０内（喫煙空間）において、一方の天板２１は背面壁１２の内面に沿って配置され、もう一方の天板２１ａは側面壁１３の内面に沿って配置されている。ここで回収部２３の取り出し側に面する蓄積部２４は、側面壁１３の開口部１３ａより外側に露出しており、回収された吸殻を喫煙空間の外側から取り出し可能となっている。
【００６３】
このような第７実施形態でも、カウンタ２０Ｅは全て喫煙ブース１０内（喫煙空間）に収まっており、回収部２３や蓄積部２４が喫煙ブース１０の外側に出っ張ることがない。ただし、カウンタ２０Ｅは、喫煙ブース１０内で設置された後は移動させることはない。
以上のように、喫煙ブース１０が備えるカウンタ２０は、上記した各実施形態のカウンタ２０Ａ〜２０Ｅに限らず、様々に形態に構成することができる。
【００６４】
＜第８実施形態＞
図１５〜図１７は、本発明の第８実施形態を示している。
上記した第１〜第７実施形態の喫煙ブース１０では、何れも複数の利用者（例えば２〜３人）が喫煙できる大きさの喫煙空間を備えるのに対して、第８実施形態に係る喫煙ブース１０Ａは、１人の利用者が喫煙できる大きさの喫煙空間を備えている。なお、第１実施形態と同種の部位については、同一符号を付して重複した説明は省略する。
【００６５】
第８実施形態に係る喫煙ブース１０Ａも、基本的には前記喫煙ブース１０と同様な構成であるが、１人の利用者を想定して全体的にコンパクトに構成されている。図１５に示すように、喫煙ブース１０Ａは、短手方向に平行な正面壁１１および背面壁１２と、長手方向に平行な両側面壁１３，１４とによって、平面視で長方形をなしており、底面側は開口した状態でフロア上に設置される。また、各面壁１１〜１４の上端縁の上方には、天井壁１５を含む上部ユニット１６が設けられている。
【００６６】
正面壁１１には、喫煙ブース１０内の喫煙空間に利用者が出入りするための出入口１１ａが開設されている。さらに、出入口１１ａには、開閉可能な扉１１ｂが設けられている。扉１１ｂは、図１５（ｂ）に示すように、一側端縁を回動中心として前方へ開閉可能に取り付けられている。なお、扉１１ｂの種類は特に限定されることなく、スライド式の引き戸や、折り畳みつつ開閉可能な折り戸等、適宜選択することができる。なお、上記した第１〜第７実施形態の喫煙ブース１０における出入口１１ａにも、開閉可能な扉１１ｂを設けてもかまわない。
【００６７】
図１６に示すように、喫煙ブース１０Ａ内の喫煙空間に備わるカウンタ２０Ｆは、テーブル状で全長が短く構成されている。すなわち、カウンタ２０Ｆは、上下方向に延びる長尺の箱状であり、その上端に長方形で板状の天板２１が設けられ、天板２１には一つの灰皿２２が設けられている。カウンタ２０Ｆの内部は、そのまま灰皿２２からのタバコの吸殻を回収する回収部２３となっている。
【００６８】
また、回収部２３は、着脱可能で吸殻を蓄積する蓄積部２４を有している。すなわち、回収部２３は、長手方向の一側壁２３ａに開口が設けられており、この開口に、回収部２３から着脱可能で吸殻を蓄積する蓄積部２４が設けられている。なお、蓄積部２４は、上記したように上面が開口した縦長の箱状に設けられている。
【００６９】
さらに、カウンタ２０Ｆの内部には、灰皿２２からの吸殻を消化しつつ下方へ移送する移送部４０を設けても良い。移送部４０は、例えば図１７に示すように、相対する無端ベルト４１，４２を有し、灰皿２２から落下した吸殻を各無端ベルト４１，４２で挟み込んだ状態で下方へ移送しつつ消化するように構成されている。各無端ベルト４１，４２は、それぞれ回転駆動するローラを含む複数のローラ４３〜４７に掛け渡されている。各無端ベルト４１，４２の回転速度を変えることにより、吸殻をすり潰した状態にして移送することができる。
【００７０】
喫煙ブース１０Ａに備わるカウンタ２０Ｆの回収部２３も、回収された吸殻を喫煙空間の外側から取り出し可能に設けられている。すなわち、喫煙空間を仕切る壁のうち喫煙ブース１０Ａの側面壁１３に、回収部２３における吸殻の取り出し側を喫煙空間の外側に臨ませる開口部１３ａが設けられている。また、カウンタ２０Ｆも、喫煙ブース１０の側面壁１３にある開口部１３ａから喫煙空間の外側に移動可能である。
【００７１】
図１６（ａ）に示すように、喫煙ブース１０Ａの通常の使用時には、カウンタ２０Ｆは灰皿２２のある側の略半分ほどが、側面壁１３にある開口部１３ａから喫煙空間の内側に収まっている。この時、回収部２３にある蓄積部２４は、喫煙空間の外側に位置している。また、図１６（ｂ）に示すように、カウンタ２０Ｆを図示した位置まで引き出せば、回収部２３の一側壁によって開口部１３ａを塞ぐことができる。
【００７２】
＜第９実施形態＞
図１８は、本発明の第９実施形態を示している。
第９実施形態に係る喫煙ブース１０Ａは、基本的には第８実施形態と同様に１人用に構成されているが、カウンタ２０Ｇの構成が若干異なる。なお、第８実施形態と同種の部位については、同一符号を付して重複した説明は省略する。
【００７３】
第９実施形態では、カウンタ２０Ｇの回収部２３のうち一側壁２３ａではなく、側方を向く別の側壁２３ｃに開口が設けられ、この開口に蓄積部２４が着脱可能に設けられている。また、カウンタ２０Ｇの天板２１の全長は、前記カウンタ２０Ｅと同様である。本第９実施形態では、回収部２３にある蓄積部２４の向きの違いにより、図１８（ａ）に示すように、回収部２３も含めてカウンタ２０Ｇを全て喫煙ブース１０内（喫煙空間）に収まるように配置することができる。
【００７４】
カウンタ２０Ｇにおける回収部２３の蓄積部２４は、蓄積部２４を着脱する側壁２３ｃ（の開口）が、側面壁１３の開口部１３ａより外側に露出するため、回収された吸殻を喫煙空間の外側から取り出し可能となる。カウンタ２０は、喫煙ブース１０の側面壁１３にある開口部１３ａから喫煙空間の外側に移動可能である。図１８（ｂ）に示すように、カウンタ２０Ｇを図示した位置まで引き出せば、回収部２３の一側壁によって開口部１３ａを塞ぐことができる。
【００７５】
＜情報処理装置１００＞
次に、上記した各実施形態に係る喫煙ブース１０（１０Ａ）が設置された遊技店１において、喫煙ブース１０（１０Ａ）を含む関連設備を管理する情報処理装置１００について説明する。情報処理装置１００は、基本的には遊技機島１で呼出ランプ３が操作された時に点灯する代表ランプ４の信号を、無線により遊技店１内の報知部１１０に送信し、呼出ランプ３が操作された場所を報知するシステムである。
【００７６】
図１９に示すように、遊技店１には、複数の遊技機島２が配置され、各遊技機島２ごとに図示省略したが複数の遊技機（例えばパチンコ機等）が横並びに配列されている。各遊技機島２は、一般に遊技者が歩ける通路を間にして並ぶように設置され、前後の遊技機島２の間の通路には、それぞれ場所を特定するコース番号（例えばコース１〜８）が付されている。
【００７７】
遊技店１内において、上記した喫煙ブース１０（１０Ａ）は、遊技店１の規模に応じて、例えば図１９に示したように、長方形の店内フロアにおける対角線上の両端に一つずつ設置される。また、店内フロアの中央付近の天井には、各種情報を報知するための報知部１１０が、一つまたは複数設けられている。
【００７８】
個々の遊技機島２には、各遊技機ごとに対応した呼出ランプ３が設けられている。呼出ランプ３は、遊技者による従業員の呼び出し操作や遊技機に関するエラーや不正等を点灯表示するものである。また、遊技機島２には各遊技機の列ごとに、当該列にある各呼出ランプ３からの信号を集中して受ける代表ランプ４が島端に設けられている。
【００７９】
遊技機島２には、代表ランプ４からの信号が入力され、この入力した信号を親機１０１に出力する子機１０２が一つずつ設けられている。親機１０１は、各遊技機島２の子機１０２と無線通信を行って、報知部１１０に報知の指示を出力するものである。なお、親機１０１は、遊技店１内において何処からでも電波が届きやすい位置（例えばフロア中央付近の遊技機島等）に通常は一つ設置される。
【００８０】
報知部１１０は、例えば複数の表示パネル１１１を備え、個々の表示パネル１１１は、同色あるいは異なる色に点灯可能であり、それぞれにコース番号が記されている。報知部１１０は、遊技店１内において何処からでも遊技者が見やすいように、例えば店内フロアの中央付近の天井等に設置されている。
【００８１】
報知部１１０は、親機１０１からの信号を受信するための報知部専用の子機１１２を備えている。また、報知部１１０は、図示省略したが表示パネル１１１の点灯ないし消灯を制御するための制御部を有している。なお、報知部１１０の制御部は、例えばインターフェース、ＣＰＵ、ＲＡＭ、ＲＯＭ等から構成されたマイクロコンピュータからなる。
【００８２】
また、喫煙ブース１０（１０Ａ）の天井壁１５には、前述したとおり人感センサ１０５（図１９参照）が設けられている。喫煙ブース１０に利用者が入ると、人感センサ１０５によって検出され、その信号が出力される。喫煙ブース１０（１０Ａ）には、人感センサ１０５からの信号が入力され、この入力した信号を親機１０１に出力する子機１０３（図１参照）が一つずつ設けられている。
【００８３】
親機１０１は、各喫煙ブース１０（１０Ａ）の子機１０３とも無線通信を行って、報知部１１０に報知の指示を出力するものである。なお、喫煙ブース１０（１０Ａ）の子機１０３からの信号の入力と、この信号に基づく報知部１１０での報知の制御に関しては、既存の情報処理装置１００に後から付加することが可能である。
【００８４】
次に、情報処理装置１００による遊技機に関する情報の報知について説明する。
図１９において、遊技機島２ごとに各遊技機の呼出ランプ３の呼出信号や不正信号が代表ランプ４に入力されると、代表ランプ４から遊技機島２に一つずつある子機１０２に信号が出力される。遊技機島２の子機１０２は、入力した信号を親機１０１に出力する。
【００８５】
親機１０１は、子機１０２から受信した信号を、報知部１１０の子機１１２に送信する。ここでの信号（情報）の送信は、例えば赤外線通信や家電向け短距離通信等の無線によって行うと良い。親機１０１からの信号を受信した報知部１１０の子機１１２は、報知部１１０の制御部に信号を送信し、この制御部の制御により、報知部１１０では各種情報を報知する。
【００８６】
報知部１１０における報知は、例えば呼出ランプ３の呼出信号に関する情報である場合には、呼出ランプ３の呼び出し操作があったコースの番号が記された表示パネル１１１が、呼び出し操作に対して定められた所定の色で点灯する。なお、呼出ランプ３からの信号の出力が無くなった場合、あるいは報知終了信号を受信することにより、報知部１１０による報知は終了する。
【００８７】
次に、情報処理装置１００による喫煙ブースに関する情報の報知について説明する。
図２０において、喫煙ブース１０（１０Ａ）に利用者が入出すると、人感センサ１０５によって利用者の存在が検出される。人感センサ１０５からの存在信号は、喫煙ブース１０（１０Ａ）にある制御部１０４の制御により、子機１０３から親機１０１へ送信される。ここでの信号（情報）の送信も、例えば赤外線通信や家電向け短距離通信等の無線によって行うと良い。
【００８８】
親機１０１は、喫煙ブース１０（１０Ａ）の子機１０３から受信した信号を、報知部１１０の子機１１２に送信する。ここでの信号（情報）の送信も、例えば赤外線通信や家電向け短距離通信等の無線によって行うと良い。親機１０１からの信号を受信した報知部１１０の子機１１２は、報知部１１０の制御部に信号を送信し、この制御部の制御により、報知部１１０では喫煙ブース１０（１０Ａ）に関する情報を報知する。
【００８９】
報知部１１０における喫煙ブース１０（１０Ａ）に関する情報の報知について、詳しくは次述する。なお、人感センサ１０５からの信号の出力が無くなった場合、あるいは報知終了信号を受信することにより、報知部１１０による喫煙ブース１０（１０Ａ）に関する情報の報知は終了する。
【００９０】
次に、報知部１１０による喫煙ブース１０（１０Ａ）に関する情報の報知について説明する。図２１において、（ａ−１）から（ａ−４）の左列は、喫煙ブース１０（１０Ａ）に関して、人の存在の有無のみを検出する場合の報知例を示している。また、図２１において、（ｂ−１）から（ｂ−６）の右列は、喫煙ブース１０に関して人の存在の有無だけでなく、人数も検出する場合の報知例を示している。
【００９１】
喫煙ブース１０において、利用者の人数も検出するには、人感センサ１０５として、一般的な赤外線等により検知するものではなく、サーモパイル型センサを採用すれば良い。サーモパイル型センサとは、人からの放射温度を検出し、所定の範囲にいる人の有無を検出可能なセンサである。サーモパイル型センサは、具体的には例えば、所定の範囲を分割した各エリアごとに、２５６画素の温度データから熱源を細かく捉えることにより、人数を把握できるように構成されている。
【００９２】
報知部１１０における複数の表示パネル１１１は、両端の表示パネル１１１がそれぞれ遊技店１内に設置されている２つの喫煙ブース１０（１０Ａ）に対応しており、タバコのマークが記されている。両端間にある複数の表示パネル１１１は、遊技店１内のコースに対応しており、それぞれにコース番号が記されている。
【００９３】
先ず、図２１の左列において、（ａ−１）に示すように、２つの喫煙ブース１０（１０Ａ）の何れにも利用者がいない場合には、報知部１１０における両端の表示パネル１１１は、何れも消灯している。
【００９４】
（ａ−２）に示すように、一方の喫煙ブース１０（１０Ａ）に利用者がいる場合には、報知部１１０における一端の表示パネル１１１が点灯する。このとき、例えばコース２にある遊技機の呼出ランプ３が操作されると、コース２に相当する表示パネル１１１が別の発光色で点灯する。
【００９５】
また、（ａ−３）に示すように、一方の喫煙ブース１０（１０Ａ）から利用者がいなくなると、報知部１１０における一端の表示パネル１１１は消灯する。このとき、他方の喫煙ブース１０（１０Ａ）に利用者が入ると、報知部１１０における他端の表示パネル１１１が点灯する。なお、（ａ−４）に示すように、他方の喫煙ブース１０（１０Ａ）からも利用者がいなくなると、他端の表示パネル１１１も消灯する。
【００９６】
次に、図２１の右列において、（ｂ−１）に示すように、２つの喫煙ブース１０の何れにも利用者がいない場合には、報知部１１０における両端の表示パネル１１１は、何れも消灯している。なお、喫煙ブース１０にいる利用者の人数も検出する場合は、複数の利用者が入れる喫煙ブース１０に限られることになる。
【００９７】
（ｂ−２）に示すように、喫煙ブース１０の一方に利用者が１人いる場合には、報知部１１０における一端の表示パネル１１１が点灯する。このとき、例えばコース２にある遊技機の呼出ランプ３が操作されると、コース２に相当する表示パネル１１１も点灯する。ここで表示パネル１１１も点灯色を異ならせても良い。
【００９８】
そして、（ｂ−３）に示すように、一方の喫煙ブース１０の利用者が増えて２人以上となった場合には、報知部１１０における一端の表示パネル１１１は、上記した１人検出時用の発光色とは別の発光色で点灯する。また、他方の喫煙ブース１０にも利用者が１人入ると、報知部１１０における他端の表示パネル１１１は１人検出時用の発光色で点灯する。
【００９９】
（ｂ−４）に示すように、一方の喫煙ブース１０の利用者が１人に減ると、報知部１１０における一端の表示パネル１１１は、１人検出時用の発光色に変化する。また、他方の喫煙ブース１０の利用者が増えて２人以上になると、今度は逆に他端の表示パネル１１１が２人以上検出時の発光色に変化する。
【０１００】
また、（ｂ−５）に示すように、一方の喫煙ブース１０から利用者がいなくなると、報知部１１０における一端の表示パネル１１１は消灯する。また、他方の喫煙ブース１０の利用者が１人に減ると、報知部１１０における他端の表示パネル１１１は、１人検出時用の発光色に変化する。なお、（ｂ−６）に示すように、他方の喫煙ブース１０からも利用者がいなくなると、他端の表示パネル１１１も消灯する。
【０１０１】
以上に説明した本実施形態から導かれる本発明には、喫煙ブース１０（１０Ａ）が設置された遊技店１において、喫煙ブース１０（１０Ａ）を含む関連設備の各種情報を処理する情報処理装置１００であって、遊技店１に設置され、前記関連設備の各種情報を報知可能な報知部１１０と、喫煙ブース１０（１０Ａ）に存在する人を検知可能な人感センサ１０５と、を有する情報処理装置１００も含まれる。
【０１０２】
ここで前記各種情報には、人感センサ１０５が人を検知している間の存在情報（信号）が含まれる。また、報知部１１０は、図２１に基づき上記したように、前記存在情報を報知可能である。情報処理装置１００は、前記関連設備の各種情報を収集可能であり、当該各種情報に関して報知部１００と通信可能な制御部（例えば親機１０１、子機１０２，１０３）と、報知部１１０における報知を制御する制御部（例えば親機１１２）と、を備える。
【０１０３】
このような情報処理装置１００によって、喫煙ブース１０（１０Ａ）に関する情報を報知することにより、遊技者は、喫煙ブース１０（１０Ａ）から離れた場所にいても、喫煙ブース１０（１０Ａ）の空き状況を遊技店１の所定箇所に設けられた報知部１１０によって確認することができる。従って、遊技者が無駄に喫煙ブース１０（１０Ａ）に行くような手間を省くことが可能となる。
【０１０４】
以上、本発明の実施の形態を図面によって説明してきたが、具体的な構成はこれらの実施の形態に限られるものではなく、本発明の要旨を逸脱しない範囲における変更や追加があっても本発明に含まれる。
【０１０５】
例えば、喫煙ブース１０（１０Ａ）を設置する場所は、遊技店１に限定されることはなく、他に例えば、公共または私設に限らず様々な施設等に設置することができる。また、上記の各実施形態では、喫煙ブース１０（１０Ａ）の全体形状を直方体としたが、直方体に限らず他の断面形状に形成することもできる。
【産業上の利用可能性】
【０１０６】
本発明に係る喫煙ブースおよび情報処理装置は、遊技店に限らず様々な施設等において広く適用することができる。
【符号の説明】
【０１０７】
１…遊技店
２…遊技機島
３…呼出ランプ
４…代表ランプ
１０，１０Ａ…喫煙ブース
１１…正面壁
１２…背面壁
１３…側面壁
１４…側面壁
１５…天井壁
１６…上部ユニット
１７…排気ファン
１８…排気ダクト
２０，２０Ａ〜２０Ｇ…カウンタ
２１…天板
２２…灰皿
２３…回収部
２４…蓄積部
２５…脚部
３０…移送部
３１…スクリュー
３２…カバー
３３…駆動源
４０…移送部
４１，４２…無端ベルト
４３〜４７…ローラ
１００…情報処理装置
１０１…親機
１０２，１０３…子機
１０４…制御部
【図１】
2020139303.tif 000003
【図２】
2020139303.tif 000004
【図３】
2020139303.tif 000005
【図４】
2020139303.tif 000006
【図５】
2020139303.tif 000007
【図６】
2020139303.tif 000008
【図７】
2020139303.tif 000009
【図８】
2020139303.tif 000010
【図９】
2020139303.tif 000011
【図１０】
2020139303.tif 000012
【図１１】
2020139303.tif 000013
【図１２】
2020139303.tif 000014
【図１３】
2020139303.tif 000015
【図１４】
2020139303.tif 000016
【図１５】
2020139303.tif 000017
【図１６】
2020139303.tif 000018
【図１７】
2020139303.tif 000019
【図１８】
2020139303.tif 000020
【図１９】
2020139303.tif 000021
【図２０】
2020139303.tif 000022
【図２１】
2020139303.tif 000023